(57)【要約】シングルバンドまたはマルチバンド平面反転Ｆ字形アンテナ（ＰＩＦＡ）構造が、第１のエリアを備える平面放射素子と、第２のエリアを備えるグランド面を有する。第２のエリアは放射素子の第１のエリアと実質的に平行である。第２のエリアはさらにメアンダ形状のセクションを有し、このセクションは放射素子の有効全長を延長する。
2005519509.tif 000002
【特許請求の範囲】
【請求項１】
第１の平面と第１のエリアを有するグランド面と、第２の平面と第２のエリアを有する放射素子とを備えるアンテナにおいて、
前記放射素子の第２の平面は前記グランド面の第１の平面と実質的に同一平面上にあり、
前記第２のエリアはメアンダ形状のセクションを有し、該セクションは放射素子の有効全長を延長する、
ことを特徴とするアンテナ。
【請求項２】
前記グランド面の第１のエッジおよび前記放射素子の第２のエッジに第１の接点個所で接続された第１の接続ラインと、
前記補者素子の第２のエッジに第２および第３の接点個所で接続された第２の接続ラインを有する、請求項１記載のアンテナ。
【請求項３】
前記グランド面の第１のエリアは放射素子の第２のエリアよりも大きい、請求項１記載のアンテナ。
【請求項４】
前記グランド面の第１のエリアは放射素子の第２のエリアと実質的に同じ大きさである、請求項１記載のアンテナ。
【請求項５】
第１の接点個所は第２の接点個所と第３の接点個所の間にある、請求項２記載のアンテナ。
【請求項６】
前記放射素子の第２のエッジに複数の接点個所で接続された第２の接続ラインを有する、請求項２記載のアンテナ。
【請求項７】
前記第１と第２の接続ラインは所望のインピーダンスにマッチングされている、請求項１記載のアンテナ。
【請求項８】
所望のインピーダンスは約５０Ωである、請求項７記載のアンテナ。
【請求項９】
放射素子の第２のエリアは第１と第２のセクションを有する、請求項１記載のアンテナ。
【請求項１０】
セクションの１つは少なくとも１つのサブセクションを有し、該サブセクションは当該セクションの有効長を延長する、請求項９記載のアンテナ。
【請求項１１】
第２のセクションはＬ字形を有する、請求項９記載のアンテナ。
【請求項１２】
前記セクションは正弦波形状を有する、請求項１記載のアンテナ。
【請求項１１】
前記セクションは三角波形状を有する、請求項１記載のアンテナ。
【請求項１２】
前記セクションは矩形波形状を有する、請求項１記載のアンテナ。
【請求項１３】
前記グランド面は絶縁基板の一方の側に配置されており、前記放射素子は該絶縁基板の他方の側に配置されている、請求項１記載のアンテナ。
【請求項１４】
前記グランド面、絶縁基板および前記放射素子はフレキシブルである、請求項１３記載のアンテナ。
【請求項１５】
前記グランド面の第１のエリアと前記放射素子の第２のエリアは矩形である、請求項１記載のアンテナ。
【請求項１６】
前記グランド面の第１のエリアと前記放射素子の第２のエリアと非矩形である、請求項１記載のアンテナ。
【請求項１７】
第１の平面と第１のエリアを有するグランド面と、第２の平面と第２のエリアを有する放射素子とを備える平面反転Ｆ字形アンテナにおいて、
前記放射素子の第２の平面はグランド面の第１の平面と実質的に同一平面上にあり、
前記第２のエリアはセクションを有し、該セクションは放射素子の有効全長を延長するメアンダ形状を有しており、
さらに前記グランド面のエッジと前記放射素子のエッジに接続された第１の接続ラインと、前記放射素子のエッジに、前記第１のエッジが接続されているのとは反対側で接続された第２の接続ラインとを有する、
ことを特徴とする平面反転Ｆ字形アンテナ。
【請求項１８】
第１の平面、第１の円周、および該第１の円周上にある第１の複数エッジを備えるグランド面と、
第２の平面、第２の円周、および該第２の円周上にある第２の複数エッジを備える放射素子を有する平面反転Ｆ字形アンテナにおいて、
前記放射素子の第２の平面は前記グランド面と第１の平面と実質的に同一平面上にあり、第２のエリアはセクションを有し、該セクションは放射素子の有効全長を延長するメアンダ形状を有し、
さらに第１の複数エッジの第１のエッジと第２の複数エッジの第１のエッジに接続された第１の接続ラインと、
第２の複数エッジ野田ｉ１のエッジに第１の接続ラインの反対側で接続された第２の接続ラインを有する、
ことを特徴とする平面反転Ｆ字形アンテナ。
【請求項１９】
平面反転Ｆ字形アンテナ（ＰＩＦＡ）を有するラジオシステムにおいて、
該システムは、第１の平面と第１のエリアを備えるグランド面と、第２の平面と第２のエリアを備える放射素子を有し、
前記放射素子の第２の平面はグランド面の第１の平面と実質的に同一平面上にあり、
第２のエリアはセクションを有し、該セクションは放射素子の有効全長を延長するメアンダ形状を有しており、
さらに前記グランド面の第１のエッジと放射素子の第２のエッジに第１の接続個所で接続された第１の接続ラインと、
前記放射素子の第２のエッジと、第２および第３の接続個所で接続された第２の接続ラインを有し、
第１と第２の接続ラインは所望のインピーダンスでラジオに接続するようマッチングされている、
ことを特徴とするラジオシステム。
【請求項２０】
前記有効全長は有効電気的全長を含む、請求項１記載のアンテナ。
【請求項２１】
前記有効全長は有効電気的全長を含む、請求項２記載のアンテナ。
【請求項２２】
前記有効全長は有効電気的全長を含む、請求項１０記載のアンテナ。
【請求項２３】
前記有効全長は有効電気的全長を含む、請求項１７記載の平面反転Ｆ字形アンテナ。
【請求項２４】
前記メアンダ形状は三角波形状、矩形波形状、または正弦波形状を含む、請求項１７記載の平面反転Ｆ字形アンテナ。
【請求項２５】
前記有効全長は有効電気的全長を含む、請求項１８記載の平面反転Ｆ字形アンテナ。
【請求項２６】
前記メアンダ形状は三角波形状、矩形波形状、または正弦波形状を含む、請求項１８記載の平面反転Ｆ字形アンテナ。
【請求項２７】
前記有効全長は有効電気的全長を含む、請求項１９記載のラジオシステム。
【請求項２８】
前記メアンダ形状は三角波形状、矩形波形状、または正弦波形状を含む、請求項１９記載のラジオシステム。
【発明の詳細な説明】
【技術分野】
【０００１】
本発明は一般的にはアンテナに関するものであり、より詳細には、平面反転Ｆ字形マルチバンドアンテナに関する。
【０００２】
平面反転Ｆ字形アンテナ（ＰＩＦＡ）はワイヤレス通信、例えばセルラー方式電話、ワイヤレスＰＤＡ、ワイヤレスＬＡＮ、Bluetooh等で使用される。ＰＩＦＡは一般的に第１のエリアを有する平面状の放射素子と、第２のエリアを有するグランド面とを有し、この第２のエリアは放射素子の第１のエリアに対して平行である。導電性の第１ラインが放射素子と第１の接点で接続されており、この第１の接点は放射素子の側方エッジに配置されている。第１ラインはまたグランド面と接続されている。導電性の第２ラインが放射素子に、第１ラインと同じ側に沿って接続されているが、その接点は第１ラインとはエッジの異なる個所に配置されている。第１ラインと第２ラインはＰＩＦＡの動作周波数において所望のインピーダンス、例えば５０Ωで結合されるよう構成されている。ＰＩＦＡでは第１ラインと第２ラインはこれらが接続されている放射素子のエッジに対して垂直である。これにより反転Ｆ字形の形状を形成する（従って平面反転Ｆ字形アンテナと称される）。
【０００３】
ＰＩＦＡの共振周波数は一般的に放射素子の面積により決められ、それより少ない程度で放射素子とグランド面との間の間隔（ＰＩＦＡアセンブリの厚さ）により決められる。ＰＩＦＡの帯域幅は一般的にＰＩＦＡアセンブリの厚さ、および放射素子とグランド面との間の電気的結合により決められる。実際のＰＩＦＡ適用設計での問題は、所望の動作帯域幅を得ることと、ＰＩＦＡ容積の低減（厚さｘの低減）とのトレードオフ関係である。さらに大きなグランド面は例えば移動セルラーフォンからユーザの頭に入り込むラジオ周波数エネルギー（ＳＡＲ値＝specific absorption rate）の低減を有利に助長する。しかしＰＩＦＡの容積は厚さ（放射素子とグランド面との間の間隔）を低減しない限り、グランド面の面積が増大すると上昇する。
【０００４】
ワイヤレス通信アプリケーションの数が増大し、ワイヤレスデバイスの物理的サイズが減少するにつれ、これらアプリケーションおよびデバイス用のアンテナが必要になる。従来技術から公知の平面反転Ｆ字形アンテナはＰＩＦＡの容積（厚さ）を低減することが必要であるため、所定のワイヤレス適用に対して帯域幅を犠牲にしている。
【０００５】
さらに市場が異なれば使用する動作周波数も異なる。例えば８５０ＭＨｚがＧＳＭバンドに最近、北米で新たに割り当てられた。欧州ＧＳＭ９００ＭＨｚバンドからの既存のＰＩＦアンテナ解決手段は適切に適応することが必要である。すなわち共振周波数を９００ＭＨｚから８５０ＭＨｚバンドにシフトしなければならない。従ってワイヤレス通信製品を種々の周波数に対して最小の設計変更で再設計できることが所望される。
【０００６】
しかし同形式のアンテナを比較的低い共振周波数で使用するためには、物理的次元での変更が必要である。例えば９００ＭＨｚに対して設計されたＰＩＦＡの次元構成は８５０ＭＨｚで動作するためには係数９００／８５０により乗算してスケーリングしなければならない。従ってＰＩＦＡの次元構成は８５０ＭＨｚでは比較的に大きくなることは明かである。従って異なる周波数に対して製品を再設計することはそれぞれのアンテナの再設計において問題となる。
【０００７】
従ってアンテナの大きさを増大する必要なしに、異なる共振周波数で動作することのできるＰＩＦＡ設計が必要である。
【０００８】
発明の要点
本発明は上記の問題、欠点および既存の技術の不完全性を克服し、ＰＩＦＡの使用可能帯域幅を増大するための装置およびシステムを提供するものである。
【０００９】
実施例によれば本発明は、グランド面と放射素子を有するアンテナを提供する。このグランド面は第１の平面と第１のエリアを有し、放射素子は第２の平面と第２のエリアを有する。放射素子の第２の平面はグランド面の第１の平面と実質的に平行であり、第２のエリアはメアンダ形状のセクションを含む。このセクションは放射素子の有効全長を延長する。
【００１０】
図面の簡単な説明
図１は、従来技術による平面反転Ｆ字形アンテナ（ＰＩＦＡ）の概略図である。
図２は、本発明による平面反転Ｆ字形アンテナ（ＰＩＦＡ）の第１実施例の概略図である。
図３と図４は、本発明によるＰＩＦＡの放射素子の別の実施例の平面図である。
図５から図７は、本発明によるサブセクションの種々の形状を示すＰＩＦＡの種々の実施例の平面図である。
【００１１】
実施例の詳細な説明
本発明の実施例によれば、アンテナはグランド面と放射素子を有する。このグランド面は第１の平面と第１のエリアを有し、放射素子は第２の平面と第２のエリアを有する。放射素子の第２の平面はグランド面の第１の平面と実質的に平行であり、第２のエリアは放射素子の有効全長を延長するメアンダ形状のセクションを有する。このアンテナはさらに第１の接続ラインと第２の接続ラインを有する。第１の接続ラインはグランド面の第１のエッジおよび放射素子の第２のエッジに第１の接点個所で結合しており、第２の接続ラインは放射素子の第２のエッジに第２および第３の接点個所で結合している。グランド面の第１のエリアは放射素子の第２のエリアより大きいか、または放射素子の第２のエリアと実質的に同じ大きさである。第１の接点個所は第２の接点個所と第３の接点個所の間とすることができる。さらに第２の接続ラインは放射素子の第２のエッジと複数の接点個所で接続することができる。第１の接続ラインと第２の接続ラインは所望のインピーダンスにマッチングすることができる。このインピーダンスは例えば約５０Ωである。放射素子の第２のエリアは第１と第２のセクションを有し、これらセクションの一方は少なくとも１つのセブセクションを有する。このサブセクションはこのセクションの電気的有効長を延長する。また第２のセクションはＬ字形を有する。メアンダ形状は正弦波状、三角形状、矩形状、または他の適切な波形形状とすることができる。グランド面は絶縁基板の一方の側にあり、放射素子は絶縁基板の他方の側にある。さらにグランド面、絶縁基板および放射素子はフレキシブルにすることができる。グランド面の第１のエリアと放射素子の第２のエリアは矩形または非矩形である。
【００１２】
別の実施例は、グランド面と放射素子を有する平面反転Ｆ字形アンテナである。このグランド面は第１の平面と第１のエリアを有し、放射素子は第２の平面と第２のエリアを有する。放射素子の第２の平面はグランド面の第１の平面と実質的に平行であり、第２のエリアはメアンダ形状のセクションを有し、このセクションは放射素子の有効全長を延長する。アンテナはまた第１の接続ラインと第２の接続ラインを有し、第１の接続ラインはグランド面のエッジおよび放射素子のエッジに接続されている。第２の接続ラインは放射素子の前記エッジと、第１の接続ラインが接続されているのとは反対の側で接続されている。
【００１３】
別の実施例はグランド面と放射素子を有する平面反転Ｆ字形アンテナである。このグランド面は第１の平面と第１の円周と、この第１の円周上にある複数の第１のエッジとを有する。放射素子は第２の平面と第２の円周と、この第２の円周上にある複数の第２のエッジとを有する。放射素子の第２の平面はグランド面の第１の平面と実質的に平行であり、第２のエリアはメアンダ形状のセクションを有し、このセクションは放射素子の有効全長を延長する。このアンテナはまた複数の第１のエッジの第１のエッジ、および複数の第２のエッジの第１のエッジに接続された第１の接続ラインと、複数の第２のエッジの第１のエッジに、第１の接続ラインとは反対の側で接続された第２の接続ラインを有する。
【００１４】
別の実施例は、平面反転Ｆ字形アンテナ（ＰＩＦＡ）を有するラジオシステムである。このシステムはグランド面と放射素子を有する。このグランド半は第１の平面と第１のエリアを有し、放射素子は第２の平面と第２のエリアを有する。放射素子の第２の平面はグランド面と第１の平面と実質的に平行であり、第２のエリアはメアンダ形状のセクションを有している。このセクションは放射素子の有効全長を延長する。このシステムはまた、グランド面の第１のエッジと放射素子の第２のエッジに第１の接点個所で接続された第１の接続ラインと、放射素子の第２のエッジに第２と第３の接点個所で接続された第２の接続ラインとを有する。第１と第２の接続ラインはラジオに所望のインピーダンスで接続するようマッチングされている。
【００１５】
次に図面を参照して本発明の実施例を詳細に説明する。図１は従来技術の平面反転Ｆ字形アンテナ（ＰＩＦＡ）を概略的に示す。従来技術のＰＩＦＡは１００により一般的に示されている。ＰＩＦＡ１００は放射素子１０２，グランド面１０４，放射素子１０２と接点個所１０８で接続された第１の接続ライン１１０，および放射素子１０２と接点個所１０６で接続された第２の接続ライン１１２を有する。第１の接続ライン１１０はまたグランド面１０４と接続部１１６を介して接続している。接続ライン１１０と１１２はラジオシステム（図示せず）と接続部１１４および１１６によって接続されるよう構成されている。接続部１１４と１１６は一般的に所望のインピーダンス、例えば５０ΩにＰＩＦＡの動作周波数でマッチングされている。接続部１１４は一般的に「ホット」接続部であり、接続部１１６は一般的にグランド接続部である。
【００１６】
図２を参照すると、本発明による平面反転Ｆ字形アンテナの実施例が概略的に示されている。ＰＩＦＡのこの実施例は２００により一般的に示されている。ＰＩＦＡ２００は放射素子２０２，グランド面２０４，放射素子２０２に接点個所２０８で接続された第１のＳＥＴ公所クライン２１０，第３の接続ライン２２０に接続された第２の接続ライン２１２を有し、第３の接続ラインは放射素子２０２に接点個所２０６と２１８で接続されている。第１の接続ライン２１０はまたグランド面２０４と接続ライン２１１により接続している。接続ライン２１０と２１２はラジオシステム（図示せず）に接続部２１４と２１６によって接続されるように構成されている。接続部２１４と２１６は一般的に所望のインピーダンス、例えば２０Ω、５０Ω、７５Ωまたは２０〜３００ΩにＰＩＦＡ２００の動作周波数でマッチングされている。接続部２１４は一般的に「ホット」接続部であり、接続部２１６は一般的にグランド接続部である。放射素子と複数の接点個所２０６，２１８で接続することによりＰＩＦＡ２００の帯域幅が増大する。図示の実施例では放射素子２０２が２つのセクション２４０と２５０を有している。セクション２５０はメアンダ構造のサブセクション２３０を有し、これはセクション２５０を延長する。
【００１７】
一般的に放射素子２０２のエリアは共振周波数を決定する。ここでは厚さ、すなわち放射素子２０２とグランド面２０４との間隔がＰＩＦアンテナの帯域幅を決定する。さらに共振周波数が低ければ、アンテナは長くなるか、言い替えればアンテナ側面のサイズが大きくなる。図２に示された形式のマルチバンドＰＩＦアンテナは実質的に２つの異なるセクションを有する。すなわち矩形セクション２４０と、Ｌ字形セクション２５０である。各セクションは固有の共振周波数を有している。従ってこのアンテナは２つの周波数バンドをサポートすることができる。「ホット」接続部２１４を放射素子２０２と接続する接続部２２０はさらに２つのアンテナ素子を増強する。この接続部により２つのアンテナ素子は並列に切り換えられる。
【００１８】
本発明によればサブセクション２３０はアンテナセクション２５０内にあり、セクション２５０の長さを実質的に延長する。すなわちアンテナ全体のサイズを変更することなく共振周波数を低下させる。
【００１９】
図３は、本発明の別の実施例の放射素子を示す。この実施例では放射素子は２つの別個のアンテナ素子３４０と３５０を単一素子の代わりに有する。第１のアンテナ素子３４０は実質的に矩形の形状を有し、第２のアンテナ素子３５０は実質的にＬ字形の形状を有する。２つの素子３４０と３５０は図示のように配置することができ、ここで第２のＬ字形素子３５０は部分的に素子３４０のフレームである。グランド接続部３１５は２つのアンテナ素子３４０と３５０の接続点とブリッジコネクタ３１０によって接続している。「ホット」接続部３２５は各アンテナ素子３４０，３５０への接続点とそれぞれワイヤまたは伝送ライン３００および３２０によって接続している。本発明によれば、Ｌ字形アンテナ素子３５０の構成はサブセクション３３０を有し、これはアンテナ素子３５０の有効長を増大させる。サブセクション３５０はメアンダ形状を有している。このようなアンテナ素子の製作はスタンピング工程またはエッチングプロセス、またはシートメタルを使用する他の適切な方法によって実行することができる。Ｌ字形アンテナ素子３５０はサブセクション３３０に対して有効部分長を有する。メアンダ形状を使用することにより、電気的有効長が長さｄの倍数になる。従ってアンテナ素子３５０が延長される。
【００２０】
図４は本発明の放射素子の別の実施例を示す。この実施例ではシングル金属シートが使用され、実質的に２つのセクション４４０と４５０を作製するために打ち抜かれる。セクション４５０は、メアンダ形状のサブセクション４３０を有する。タダ１つのグランド接続部４２５だけが必要である。この接続部は有利には、２つのアンテナ素子が接続される結合点に配置される。「ホット」接続部４１５は図２および図３と同様に配置されている。
【００２１】
メアンダ構造または形状を備えるアンテナ素子のサブセクションは複数の異なる形状を有することができる。しかし重要なのは、サブセクションの有効長がこのサブセクションの物理的長さより長く、アンテナ素子の電気的有効長全体を延長することである。また付加的な製造ステップは必要ない。なぜならメアンダ状の構造体は放射素子の表面内に形成されるからである。
【００２２】
図５〜７は本発明によるマルチバンドＰＩＦアンテナの放射素子の種々の実施例を示す。例えば図５Ａ〜Ｄ、図６Ｃ，Ｅは正弦波状のメアンダ構造を使用し、Ｌ字形アンテナ素子の種々異なる部分に配置されている。図５Ｅ、５Ｆは三角波形の延長サブセクションを使用する。これらのＬ字形アンテナ素子の異なる部分に配置されている。図６Ａ、６Ｂ、６Ｄは矩形波形状の延長メアンダサブセクションを示す。図６Ｆ、７Ａ、７Ｂはそれぞれ２つの延長メアンダサブセクションを放射素子に示し、ここでは形状の異なるメアンダサブセクションの組合せが使用される。１つ以上のサブセクションは図６Ｆ、図７Ａ，Ｂに示すように設けることができる。マルチサブセクションは、所望の共振周波数に依存して同じ形状、または類似の形状、または異なる形状を有することがでえきる。
【００２３】
図７Ｃは本発明の別の実施例を示す。この実施例ではメアンダ状サブセクションが矩形アンテナ素子の中に設けられている。従ってグランド接続部の位置に依存して、Ｌ字形素子が延長されるか、または矩形素子が延長される。
【００２４】
放射素子への接続を２つ以上の接点個所で行うことは本発明の枠内であり、これにより本発明によるＰＩＦＡの帯域幅が増大する。
【００２５】
グランド面および／または放射素子は開口部、例えばホールまたは切り抜き部を有する。これは重量を軽減するため、および／または機械的支持部および／または放射素子を取り付けるためである。機械的支持部は例えばグランド面を保持する誘電絶縁支持部である（図示せず）。
【００２６】
本発明は、１つの形状、サイズおよび／または図５から図７に示した形状に限定されるものではない。グランド面および放射素子は他の形式の導電材料、例えば金属、金属合金、グラファイト含浸布、導電コーティングを有するフィルム等から作製することができる。放射素子とグランド面との間隔は一定である必要はない。本発明の実施例の多重接点個所は、平坦な構造において製造コストを上昇させることなく撓み性アンテナ構成を実現するために使用することができる。
【００２７】
延長メアンダ状サブセクションの適用はもちろんマルチバンドアンテナに限定されるものではなく、シングルバンドアンテナのいずれの形式にも使用できる。グランドと「ホット」接続部との接続に依存して、図７に示したアンテナは例えばシングルバンドアンテナとして使用することもできる。上記のマルチバンドアンテナに類似するアンテナ形式を使用する他のシングルバンドアンテナも本発明の枠内で変更することができる。
【００２８】
上記のようにマルチバンドアンテナの放射素子にある種々異なる接点個所を組み合わせることにより多重共振が得られ、スタガ同調ＰＩＦＡ構造が得られる。
【００２９】
メアンダ構造をＰＩＦＡの放射素子で使用することにより、ＰＩＦアンテナの物理的サイズまたはプロフィールは一定のまま、共振周波数を低下することができる。従って比較的低い周波数レンジが本発明のＰＩＦＡにより達成され、機械的部材を変更することもなく、本発明を使用しなければ生ずるであろう比較的大きなアンテナサイズに適合するため電話機サイズを大きくすることもない。さらに周波数変化が所望されない場合には、既存の電話機をさらに小さなプロフィールで製造することができる。なぜなら所定の動作周波数バンドのＰＩＦアンテナをメアンダ構造により、メアンダ構造を有していない同じ動作周波数に対するＰＩＦアンテナよりも小型に構成することができるからである。
【図面の簡単な説明】
【００３０】
【図１】従来技術による平面反転Ｆ字形アンテナ（ＰＩＦＡ）の概略図である。
【００３１】
【図２】本発明による平面反転Ｆ字形アンテナ（ＰＩＦＡ）の第１実施例の概略図である。
【００３２】
【図３】本発明によるＰＩＦＡの放射素子の実施例の平面図である。
【００３３】
【図４】本発明によるＰＩＦＡの放射素子の実施例の平面図である。
【００３４】
【図５】本発明による延長サブセクションの種々の形状を示す平面図である。
【００３５】
【図６】本発明による延長サブセクションの種々の形状を示す平面図である。
【００３６】
【図７】本発明による延長サブセクションの種々の形状を示す平面図である。
【図１】
2005519509.tif 000003
【図２】
2005519509.tif 000004
【図３】
2005519509.tif 000005
【図４】
2005519509.tif 000006
【図５Ａ】
2005519509.tif 000007
【図５Ｂ】
2005519509.tif 000008
【図５Ｃ】
2005519509.tif 000009
【図５Ｄ】
2005519509.tif 000010
【図５Ｅ】
2005519509.tif 000011
【図５Ｆ】
2005519509.tif 000012
【図６Ａ】
2005519509.tif 000013
【図６Ｂ】
2005519509.tif 000014
【図６Ｃ】
2005519509.tif 000015
【図６Ｄ】
2005519509.tif 000016
【図６Ｅ】
2005519509.tif 000017
【図６Ｆ】
2005519509.tif 000018
【図７Ａ】
2005519509.tif 000019
【図７Ｂ】
2005519509.tif 000020
【図７Ｃ】
2005519509.tif 000021
【手続補正書】
【提出日】平成15年9月18日(2003.9.18)
【手続補正１】
【補正対象書類名】特許請求の範囲
【補正対象項目名】全文
【補正方法】変更
【補正の内容】
【特許請求の範囲】
【請求項１】
第１の平面と第１のエリアを有するグランド面と、第２の平面と第２のエリアを有する放射素子とを備えるアンテナにおいて、
前記放射素子の第２の平面は前記グランド面の第１の平面と実質的に平行であり、
前記第２のエリアはメアンダ形状のセクションを有し、該セクションは放射素子の有効全長を延長する、
ことを特徴とするアンテナ。
【請求項２】
前記グランド面の第１のエッジおよび前記放射素子の第２のエッジに第１の接点個所で接続された第１の接続ラインと、
前記補者素子の第２のエッジに第２および第３の接点個所で接続された第２の接続ラインを有する、請求項１記載のアンテナ。
【請求項３】
前記グランド面の第１のエリアは放射素子の第２のエリアよりも大きい、請求項１記載のアンテナ。
【請求項４】
前記グランド面の第１のエリアは放射素子の第２のエリアと実質的に同じ大きさである、請求項１記載のアンテナ。
【請求項５】
第１の接点個所は第２の接点個所と第３の接点個所の間にある、請求項２記載のアンテナ。
【請求項６】
前記放射素子の第２のエッジに複数の接点個所で接続された第２の接続ラインを有する、請求項２記載のアンテナ。
【請求項７】
前記第１と第２の接続ラインは所望のインピーダンスにマッチングされている、請求項１記載のアンテナ。
【請求項８】
所望のインピーダンスは約５０Ωである、請求項７記載のアンテナ。
【請求項９】
放射素子の第２のエリアは第１と第２のセクションを有する、請求項１記載のアンテナ。
【請求項１０】
セクションの１つは少なくとも１つのサブセクションを有し、該サブセクションは当該セクションの有効長を延長する、請求項９記載のアンテナ。
【請求項１１】
第２のセクションはＬ字形を有する、請求項９記載のアンテナ。
【請求項１２】
前記セクションは正弦波形状を有する、請求項１記載のアンテナ。
【請求項１３】
前記セクションは三角波形状を有する、請求項１記載のアンテナ。
【請求項１４】
前記セクションは矩形波形状を有する、請求項１記載のアンテナ。
【請求項１５】
前記グランド面は絶縁基板の一方の側に配置されており、前記放射素子は該絶縁基板の他方の側に配置されている、請求項１記載のアンテナ。
【請求項１６】
前記グランド面、絶縁基板および前記放射素子はフレキシブルである、請求項１３記載のアンテナ。
【請求項１７】
前記グランド面の第１のエリアと前記放射素子の第２のエリアは矩形である、請求項１記載のアンテナ。
【請求項１８】
前記グランド面の第１のエリアと前記放射素子の第２のエリアと非矩形である、請求項１記載のアンテナ。
【請求項１９】
第１の平面と第１のエリアを有するグランド面と、第２の平面と第２のエリアを有する放射素子とを備える平面反転Ｆ字形アンテナにおいて、
前記放射素子の第２の平面はグランド面の第１の平面と実質的に平行であり、
前記第２のエリアはセクションを有し、該セクションは放射素子の有効全長を延長するメアンダ形状を有しており、
さらに前記グランド面のエッジと前記放射素子のエッジに接続された第１の接続ラインと、前記放射素子のエッジに、前記第１のエッジが接続されているのとは反対側で接続された第２の接続ラインとを有する、
ことを特徴とする平面反転Ｆ字形アンテナ。
【請求項２０】
第１の平面、第１の円周、および該第１の円周上にある第１の複数エッジを備えるグランド面と、
第２の平面、第２の円周、および該第２の円周上にある第２の複数エッジを備える放射素子を有する平面反転Ｆ字形アンテナにおいて、
前記放射素子の第２の平面は前記グランド面と第１の平面と実質的に平行であり、第２のエリアはセクションを有し、該セクションは放射素子の有効全長を延長するメアンダ形状を有し、
さらに第１の複数エッジの第１のエッジと第２の複数エッジの第１のエッジに接続された第１の接続ラインと、
第２の複数エッジ野田ｉ１のエッジに第１の接続ラインの反対側で接続された第２の接続ラインを有する、
ことを特徴とする平面反転Ｆ字形アンテナ。
【請求項２１】
平面反転Ｆ字形アンテナ（ＰＩＦＡ）を有するラジオシステムにおいて、
該システムは、第１の平面と第１のエリアを備えるグランド面と、第２の平面と第２のエリアを備える放射素子を有し、
前記放射素子の第２の平面はグランド面の第１の平面と実質的に平行であり、
第２のエリアはセクションを有し、該セクションは放射素子の有効全長を延長するメアンダ形状を有しており、
さらに前記グランド面の第１のエッジと放射素子の第２のエッジに第１の接続個所で接続された第１の接続ラインと、
前記放射素子の第２のエッジと、第２および第３の接続個所で接続された第２の接続ラインを有し、
第１と第２の接続ラインは所望のインピーダンスでラジオに接続するようマッチングされている、
ことを特徴とするラジオシステム。
【請求項２２】
前記有効全長は有効電気的全長を含む、請求項１記載のアンテナ。
【請求項２３】
前記有効全長は有効電気的全長を含む、請求項２記載のアンテナ。
【請求項２４】
前記有効全長は有効電気的全長を含む、請求項１０記載のアンテナ。
【請求項２５】
前記有効全長は有効電気的全長を含む、請求項１９記載の平面反転Ｆ字形アンテナ。
【請求項２６】
前記メアンダ形状は三角波形状、矩形波形状、または正弦波形状を含む、請求項１９記載の平面反転Ｆ字形アンテナ。
【請求項２７】
前記有効全長は有効電気的全長を含む、請求項２０記載の平面反転Ｆ字形アンテナ。
【請求項２８】
前記メアンダ形状は三角波形状、矩形波形状、または正弦波形状を含む、請求項２０記載の平面反転Ｆ字形アンテナ。
【請求項２９】
前記有効全長は有効電気的全長を含む、請求項２１記載のラジオシステム。
【請求項３０】
前記メアンダ形状は三角波形状、矩形波形状、または正弦波形状を含む、請求項２１記載のラジオシステム。
【国際調査報告】
2005519509.tif 000022